(57)【要約】【課題】  省エネルギーを徹底し、新たな動力乃至エネルギーを使用することなく、都市部の建物その他の個々の対象物の蓄えた熱を水の蒸発潜熱で効率的に奪うこと。【解決手段】  建物１の壁面２をカバーする壁型蒸散部３と、これをワイヤーフレーム４ｃ及び支持フレーム４ａ、４ａを介して支持する二本の支柱部材４、４と、その内部の蒸散水の貯留槽５と、貯留槽５を構成する多段の支分槽５ａ、５ａ…の各々から蒸散水を壁型蒸散部３の各該当する高さの単位板部材３ａ、３ａ…に供給する毛管構造の給水ロープ６、６…と、雨水を採取する雨樋７と、採取した雨水を貯留槽５に導入する導入配管８とで構成する。壁型蒸散部３は多孔質セラミックス製の単位板部材３ａ、３ａ…からなり、上下隣接する支分槽５ａ、５ａ…間及び補給槽５ｂ間には、毛管構造の紐状の補給ロープ５ｄが配してある。【選択図】  図１
2006241812.tif 000002
【特許請求の範囲】
【請求項１】
水を蒸散する蒸散面を備えた蒸散部と、該蒸散部に蒸散用の水を供給する毛管構造に構成した給水手段とで構成した環境温度低減装置。
【請求項２】
前記給水手段を、雨水採取手段によって採取した雨水を蒸散用の水として貯留する貯留槽に接続した請求項１の環境温度低減装置。
【請求項３】
前記蒸散部を連続気孔の多孔質部材で構成した請求項１又は２の環境温度低減装置。
【請求項４】
前記給水手段の毛管構造及び蒸散部に微生物による目詰まりを防止する処理を施した請求項１、２又は３の環境温度低減装置。
【請求項５】
前記貯留槽を、高さ方向に配列された複数段の支分槽からなり、高所の支分槽の溢水分が順次下方の支分槽に供給されて貯留されるように構成し、
前記給水手段を、該貯留槽の支分槽に対応する数の支分給水手段で構成し、
該各支分槽に該各支分給水手段を接続してそれらにより前記蒸散部の対応する高さ範囲内の部位に水を供給すべく構成した請求項２、３又は４の環境温度低減装置。
【請求項６】
前記雨水採取手段を、前記貯留槽の最上段の支分槽に接続した請求項５の環境温度低減装置。
【請求項７】
前記蒸散部として、屋外待合所型シェルターの天井、建物の外壁をカバーする外壁カバー部材、蔓状植物型部材、樹木状植物型部材又はよしず型部材のいずれかを採用した請求項１、２、３、４、５又は６の環境温度低減装置。
【発明の詳細な説明】
【技術分野】
【０００１】
本発明は、住宅、道路、ビル又は工場等が密集する都市部だけで起こる温暖化現象、所謂ヒートアイランド現象による建物その他の周囲環境の温度上昇を低減する環境温度低減装置に関する。
【背景技術】
【０００２】
ヒートアイランド現象は、住宅、道路、ビル又は工場等が密集する都市部だけで起こる温暖化現象であり、気温の高くなった地域が、あたかも熱をもった島のように見えることからこう呼ばれている。
【０００３】
都市部では、アスファルトやコンクリートで地表部が覆われており、これらに日射熱が蓄積され、夜間も日中に蓄えた大量の熱を放出しつづけるため、大気の温度が高く保たれることに加え、緑地や河川が減少しているため、水分の蒸発による気温低下が少なくなっている。
【０００４】
また自動車やエアコン或いは工場等からの人工排熱の増加による外気温の押し上げが進んでもいる。
【０００５】
更に都市部では林立する建物が邪魔をして外部からの風が流入しにくい構造になっているため、大気が淀みやすく、暖められた空気が外部に逃げにくくなっている。
【０００６】
以上のような事情に起因するヒートアイランド現象により生活環境は悪化し、熱帯夜や真夏日の日数の増加とあいまって、熱中症や睡眠障害などの健康被害を及ぼしている。
【０００７】
このようなヒートアイランド現象を低減しようとする技術の一つとして温度上昇防止システム（特許文献１）の提案がある。
この温度上昇防止システムは、道路、その法面、中央分離帯又は舗道等の人工地盤面、或いは建物の屋上やベランダ等に降る雨水の全てを貯水タンクに貯留させ、建物の屋上、ベランダやテラス、舗道等の人工地盤面、或いは道路の法面や中央分離帯の各表面に多孔質構造セラミックスを配しておき、それらの上に、ポンプで該貯水タンクに貯水してある雨水を汲み上げて散水し、その多孔質構造セラミックスに保水させ、そこで生じる水分の蒸散による気化熱で表面温度を持続的に降下させ、その余剰水は再び前記貯水タンクに貯水させ、また、前記のように、前記多孔質構造セラミックス上に散水させる循環過程を繰り返すようになっている技術である。
【０００８】
これは、前記ヒートアイランド現象を低減することを目的とするものであり、前記道路や建物の屋上等の表面に配した多孔質構造セラミックスに雨水を流し、それに蓄えられている熱を奪ってその水を蒸発させ、温度上昇防止対象の建物等の温度を低下させようとしているものである。雨水を利用することで水道等に負担を掛けずに、かつその蒸発潜熱を利用することにより、効率的な温度低下を実現しようとしているものである。
【０００９】
しかしこの温度上昇防止システムでは、雨水の、前記温度上昇防止対象への供給にポンプを用い、余剰水を繰り返し該温度上昇防止対象に送り込むものであり、新たなエネルギーを消費するものであって、省エネルギーの観点が徹底されていない。またポンプの使用は、これによって僅かといえども新たな熱を発生させる問題も生じさせる。
【００１０】
【特許文献１】特開２００３−１０５８８３号公報
【発明の開示】
【発明が解決しようとする課題】
【００１１】
本発明は、前記従来技術の問題点を解決し、省エネルギーを徹底し、新たな動力乃至エネルギーを使用することなく、都市部の建物その他の個々の対象物の蓄えた熱を水の蒸発潜熱で効率的に奪うことを通じてヒートアイランド現象を低減することを解決の課題とする。
【課題を解決するための手段】
【００１２】
本発明の１は、水を蒸散する蒸散面を備えた蒸散部と、該蒸散部に蒸散用の水を供給する毛管構造に構成した給水手段とで構成した環境温度低減装置である。
【００１３】
本発明の２は、本発明の１の環境温度低減装置に於いて、前記給水手段を、雨水採取手段によって採取した雨水を蒸散用の水として貯留する貯留槽に接続したものである。
【００１４】
本発明の３は、本発明の１又は２の環境温度低減装置に於いて、前記蒸散部を連続気孔の多孔質部材で構成したものである。
【００１５】
本発明の４は、本発明の１、２又は３の環境温度低減装置に於いて、前記給水手段の毛管構造及び蒸散部に微生物による目詰まりを防止する処理を施したものである。
【００１６】
本発明の５は、本発明の２、３又は４の環境温度低減装置に於いて、前記貯留槽を、高さ方向に配列された複数段の支分槽からなり、高所の支分槽の溢水分が順次下方の支分槽に供給されて貯留されるように構成し、
前記給水手段を、該貯留槽の支分槽に対応する数の支分給水手段で構成し、
該各支分槽に該各支分給水手段を接続して各々により前記蒸散部の対応する高さ範囲内の部位に水を供給すべく構成したものである。
【００１７】
本発明の６は、本発明の５の環境温度低減装置に於いて、前記雨水採取手段を、前記貯留槽の最上段の支分槽に接続したものである。
【００１８】
本発明の７は、本発明の１、２、３、４、５又は６の環境温度低減装置に於いて、前記蒸散部として、屋外待合所型シェルターの天井、建物の外壁をカバーする外壁カバー部材、蔓状植物型部材、樹木状植物型部材又はよしず型部材のいずれかを採用したものである。
【発明の効果】
【００１９】
本発明の１の環境温度低減装置によれば、温度低減対象の領域に適当な間隔で前記蒸散部を設置し、または温度低減対象の建造物等の周囲のいずれかの部位に前記蒸散部を設置し、これらに前記給水手段により水を供給し、該各蒸散部からそれらの水を蒸散させることにより、その周囲から蒸発潜熱を奪い、効率的にその周囲の温度低下を図ることが出来る。従ってこられの蒸散部を環境温度の高い領域や建造物の周囲に必要数設置して使用すれば、それらの領域や建造物付近の広い範囲の温度低下を図り得ることとなり、ヒートアイランド現象の低減に資することができる。
【００２０】
また、既述のように、本発明の環境温度低減装置によれば、給水手段は毛管構造に構成したものであり、その毛管現象によって前記蒸散部まで、一切の動力を用いることなく、蒸散用の水を供給することができるものである。従って省エネルギーを徹底することができるものでもある。
【００２１】
前記蒸散部に供給する水は特定のそれに限定されない。雨水は、勿論、浴槽排水等の種々の排水類も給水手段や蒸散部に悪影響を与えないものであれば使用可能である。水道水も当然使用可能であるが、経済性の観点からは雨水等の方が適当である。
【００２２】
本発明の２の環境温度低減装置によれば、雨水を貯留した貯留槽から水を供給し、これによって周囲環境の温度低下を図るものであり、水資源の有効利用が図れると共に、水道に新たな負荷を掛けることがない。即ち、本発明の２の環境温度低減装置によればランニングコストが殆どかからないこととなる。
【００２３】
本発明の３の環境温度低減装置によれば、前記蒸散部の全範囲に能率的かつ均一に水を導入し、かつ全範囲で均一に蒸散させることができる。
【００２４】
本発明の４の環境温度低減装置によれば、長期間の使用によっても容易に給水手段の毛管構造及び蒸散部に目詰まりが生じないので、特別のメンテナンス作業なしで、毛管現象による給水作用の低下や蒸散部による蒸散作用の低下が容易に生じない。
【００２５】
本発明の５の環境温度低減装置によれば、蒸散部が高さ方向に広い面積を持った物であった場合であっても、そのいずれの高さ領域へも良好に水の供給を行い、良好な蒸散作用を生じさせることができる。
【００２６】
本発明の６の環境温度低減装置によれば、前記貯留槽は複数段の支分槽からなる物であるが、最上段の貯留槽にのみ水を供給するのみで、順次、溢水分が直下の支分槽に流下し、全ての支分槽に容易に雨水を供給することができることになる。
【００２７】
本発明の７の環境温度低減装置によれば、前記蒸散部として、温度低減対象の領域又は建造物等の態様に応じた適切な形態のそれを選択して使用することが可能であり、外観的な違和感もなく、効率的に環境温度の低減を実行することができる。
【発明を実施するための最良の形態】
【００２８】
本発明の環境温度低減装置は、基本的に、水を蒸散する蒸散面を備えた蒸散部と、該蒸散部に蒸散用の水を供給する毛管構造に構成した給水手段とで構成したものである。
【００２９】
前記蒸散部は、その蒸散面から蒸散水を蒸散させてその蒸発潜熱により周辺の温度を効率的に低下させようとする手段である。この蒸散部はこの目的を達成できる種々の構成を自由に採用することができる。例えば、この蒸散部としては、連続気孔の多孔質部材で構成することができる。受け入れた蒸散水をその蒸散面に均一に移動させ、蒸散面全体から効率よく蒸散させる趣旨である。
【００３０】
例えば、多孔質のセラミック等を採用することができる。同様に連続気孔の多孔質に構成したプラスチック類を採用することもできる。このようなプラスチック類の場合には硬質又は弾力性の板状又は棒状のもの等のいずれも採用可能である。プラスチックフィルムも採用可能であるが、この場合も水をその全体に行き渡らせる性状を確保する観点から、例えば、その内部に連続する多数の微細な空間を備えたものである必要があり、蒸散面を構成する都合上、その表面に微細な孔等が平均かつ密に開口している必要がある。この他同様に連続する多数の微細な隙間を備えた不織布等も採用可能である。
【００３１】
前記蒸散部は又これを低蓄熱性材料で構成するのが好ましい。できるだけ日射熱等の蓄熱を避け、それ自体の温度を低下させるための蒸散水の消費量を最低限度とする趣旨である。
【００３２】
このような蒸散部は、設置場所との関係で、具体的には、屋外待合所型シェルターの天井、建物の外壁をカバーする外壁カバー部材、蔓状植物型部材、樹木状植物型部材又はよしず型部材等に構成することができる。これらの蒸散部は、以上のように、日光を遮り日陰を作る種々の部材を利用してこれらに付設し、或いはそれらを模した部材形状等に構成するのが適当である。もっとも蒸散面を備え、そこから効率的に水の蒸散ができる物であれば、特定の構成に限定されないのは云うまでもない。これらの構成は、前記のような連続気孔の多孔質部材や連続する多数の微細な隙間を持った不織布等を用いて構成することができる。
【００３３】
前記給水手段は、前記のように、前記蒸散部に蒸散水を供給する手段であり、毛管現象を利用して一切の動力を使用せずに該蒸散部に蒸散水を供給しようとするものである。該給水手段の毛管現象は、云うまでもなく、これを構成する毛管構造によって発生させるものである。
【００３４】
毛管現象は、液体中に毛細管を立てた場合に、管内の液面が管外の液面より高くなったり、低くなったりする現象を云うものであり、液体が管体を濡らす性質の場合に、管内の液面が管外の液面より高くなり、濡らさない性質の場合に管内の液面が管外の液面より低くなる。本発明では、云うまでもなく、前者の場合を利用するものであり、前記給水手段の毛管構造を水に濡れる性質の部材を用いて構成するものである。
【００３５】
このような毛管現象は、管に限らず狭い隙間を持った部材を液体中に立てた場合にも生じるものであり、この現象もまた毛管現象と称するものとする。
【００３６】
前記毛管構造は、以上のような毛管現象を生じ得る構造を云い、以上のように、この毛管構造は、毛細管、或いは、毛細管を束ねた構造をも当然含むが、これに限らず、毛細管の管内空間と同様な微少隙間空間を持った構造の全てを含むものとする。例えば、ぬれ性の高い各種の繊維で構成したロープ類を採用することができる。この場合は、例えば、その一端と他端を除く周囲を水密性の被覆材でカバーし、途中からの蒸散が生じないようにする。またぬれ性の高い適当な材質で構成した不織布を採用することもできる。この場合も、途中からの蒸散が生じないように、その一端と他端以外の部分を水密性の被覆材でカバーするべきである。
【００３７】
このような給水手段は、蒸散部の蒸散能力やサイズに応じて必要量の蒸散水を供給可能なようにサイズを設定し、或いは複数のそれを用いて構成すべきである。また蒸散部が広い面積を有するものである場合は、該蒸散部を複数のエリアに分け、各エリア毎に給水する複数の給水手段を構成することができる。
【００３８】
また前記給水手段は、その毛管構造に微生物による目詰まりを防止する処理を施すこととするのが適当である。例えば、銀や銅のような抗菌性金属を配する抗菌処理を施すことができる。こうして長期間にわたって高い給水力を維持することができる。
【００３９】
更に前記給水手段は、雨水採取手段によって採取した雨水を蒸散水として貯留する貯留槽に接続することとするのが適当である。
【００４０】
前記雨水採取手段は、特定の構成に限定されず、この装置を設置する領域に降る雨水を採取し得る種々の手段を自由に採用することができる。例えば、設置対象の建造物の屋根の周囲に構成した樋等を採用することができる。設置対象の表面の傾斜を利用して雨水を集める種々の手段を適当に構成することもできる。
【００４１】
前記貯留槽は、以上のような雨水採取手段で採取した雨水を保管する手段であり、その目的を達成することが可能な種々の構成を自由に採用することができる。もっとも該貯留槽は、この装置の設置対象との関係で、外観上は、様々の他の物品、例えば、建築物の一部、特定の建造物、又はモニュメント等の種々の形状に構成するのが適当な場合もあり、そのように構成することも当然自由にできる。
【００４２】
前記貯留槽は、また、高さ方向に配列された複数段の支分槽で構成し、高所の支分槽の溢水分が順次下方の支分槽に供給されて貯留されるように構成することができる。この場合は、前記雨水採取手段は該貯留槽の最上段の支分槽に接続すれば良いことになる。更にこの場合は、前記給水手段を、該貯留槽の支分槽に対応する数の支分給水手段に構成し、前記各段の支分槽に該各支分給水手段を接続して各々により前記蒸散部の対応する高さ範囲内の部位に水を供給すべく構成するのが適当である。
【００４３】
以上のように、前記貯留槽を高さ方向に複数段の支分槽に分け、かつ各高さの支分槽からその対応する高さの蒸散部給水領域に給水することとするのは、能率的な給水のために好都合である。特に給水対象である蒸散部が高さ方向に大きな寸法を有している場合は有効である。
【００４４】
前記給水手段は、その毛管構造及びこれを構成する素材の性質との関係で給水高さに限界があり、それを越える高さの領域までは水を供給することができない。従って前記蒸散部が高さ方向に該給水手段の給水高さ限界を越える寸法を持つものである場合は、前記のように、貯留槽を複数段の支分槽に構成し、かつ給水手段も複数の支分給水手段で構成して、前記のように給水する構成が重要となる。
【００４５】
なお、前記のような高さ方向に複数段の支分槽を持つ貯留槽は、直立する種々の部材、例えば、樹木の幹状の部材又は柱状の部材を利用し、その内部に構成することができる。
【００４６】
従って本発明の環境温度低減装置によれば、対象の建造物等の周囲のいずれかの部位に前記蒸散部を設置し、或いは対象の領域の適当な場所に前記蒸散部を設置し、これらの蒸散部に給水手段により水を供給し、該蒸散部から蒸散させることにより、その周囲から蒸発潜熱を奪い、効率的にその周囲の温度低下を図ることができる。それ故、この蒸散部を対象の建造物、或いは領域の広い範囲に多数設置して使用すれば、広い範囲の温度低下を図り得ることとなり、ヒートアイランド現象の低減に資することができる。
【００４７】
また、既述のように、前記給水手段は毛管構造に構成し、前記蒸散部まで一切の動力を用いることなく、毛管現象により蒸散水を送給するものであり、省エネルギーを徹底するものである。
【００４８】
前記のように、雨水採取手段で集めた雨水を貯留槽に貯留し、これを前記蒸散部に於ける蒸散用に使用するものとすれば、水道に新たな負荷を掛けることもなく、かつ極めて経済的なものとなる。
【００４９】
前記蒸散部を連続気孔の多孔質部材で構成した場合は、受け入れた蒸散水をその蒸散面に均一に移動させ、かつ蒸散面全体から効率よく蒸散させることが可能となる。また前記蒸散部を低蓄熱性材料で構成した場合は、無用の日射熱等の蓄熱を回避することができるため、これによる環境温度の上昇を回避し得、更にその温度を下げるための蒸散水の無用の消費を低減することができる。
【００５０】
前記のように、前記給水手段の毛管構造に微生物による目詰まりを防止する処理を施した場合は、当然、長期間の使用によっても容易に給水手段の毛管構造に目詰まりが生じないので、その給水作用の低下も容易に生じない。
【００５１】
前記のように、貯留槽を高さ方向の複数段の支分槽を持つ構成とし、給水手段を対応する複数の支分給水手段で構成した場合は、蒸散部が高さ方向に広い面積を持った物であっても、そのいずれの高さ領域へも良好に十分な蒸散水の供給を行い、良好な蒸散作用を生じさせることができる。
【００５２】
また、前記のように、前記蒸散部を、屋外待合所型シェルターの天井、建物の外壁をカバーする外壁カバー部材、蔓状植物型部材、樹木状植物型部材又はよしず型部材のいずれかに構成した場合は、温度低減対象の態様に応じた適切な形態のそれを選択して使用することが可能であり、外観的な違和感もなく効率的に環境温度の低減を実行することができる。
【実施例１】
【００５３】
この実施例１は、図１に示すように、本発明を建物の南面の壁面をカバーする壁カバー材として構成した一例であり、基本的に、建物１の壁面２をカバーする壁型蒸散部３と、これを支持する支柱部材４と、該支柱部材４の内部に構成した蒸散水の貯留槽５と、該貯留槽５から蒸散水を前記壁型蒸散部３に供給する給水ロープ（給水手段）６、６…と、雨水を採取する雨樋（雨水採取手段）７と、該雨樋７で採取した雨水を蒸散水として前記貯留槽５に導入する導入配管８とで構成したものである。
【００５４】
前記壁型蒸散部３は、図１(a)に示すように、多数の四辺形板状の単位板部材３ａ、３ａ…を後記ワイヤーフレーム４ｃを介して相互に結合して構成した大型の板状部材であり、この実施例では、カバー対象の建物１の壁面２に開口している窓に対応する開口部３ｂをその中央部付近に開口させたものである。なお該各単位板部材３ａ、３ａ…は、連続気孔の多孔質セラミックス板材である。
【００５５】
前記ワイヤーフレーム４ｃは、図２(a)に示すように、両側の支柱部材４、４の上下部に両端を結合した支持フレーム４ａ、４ａに結合し、これらを介して該支柱部材４、４に支持させたものである。また該ワイヤーフレーム４ｃは、同図に示すように、縦横に組み合わせたワイヤ部材４ｃ１、４ｃ１…、４ｃ２、４ｃ２…で構成したものであり、該ワイヤ部材４ｃ１、４ｃ１…、４ｃ２、４ｃ２…の縦横の配置は、当然、前記単位板部材３ａ、３ａ…の配列に対応させて設定したものである。
【００５６】
この実施例では、図１(e)及び図２(d)に示すように、該単位板部材３ａ、３ａ…の背面には、その上部及び下部に一対ずつフック３ａ１、３ａ１が配してあり、図２(d)に示すように、それらの上下各一対のフック３ａ１、３ａ１で、それぞれ該当する間隔で配した上下二本のワイヤ部材４ｃ１、４ｃ１のそれぞれに係止することができるようになっている。従って前記ワイヤーフレーム４ｃの横向きのワイヤ部材４ｃ１、４ｃ１…は、前記し、図１(a)に示すように、中央に開口部を開けつつ縦横に配した単位板部材３ａ、３ａ…のフック３ａ１、３ａ１…の配置に対応させて、図２(a)に示すように、横一列の単位板部材３ａ、３ａ…毎の二本ずつを組として上下方向にその方向の単位板部材３ａ、３ａ…の数だけ配列して構成するものとする。縦方向のワイヤ部材４ｃ２、４ｃ２…は、配列される単位板部材３ａ、３ａ…のほぼ横幅間隔で配することとする。
【００５７】
なお以上の縦横のワイヤ部材４ｃ１、４ｃ１…、４ｃ２、４ｃ２…は剛性を持った金属線材で構成するものとし、相互はその交差部分で溶接により結合し、前記のように、ワイヤーフレーム４ｃを構成する。またこのワイヤーフレーム４ｃは、既述のように、上下の支持フレーム４ａ、４ａと結合しており、この実施例では、その結合は溶接によるものとする。更にまた該支持フレーム４ａ、４ａはその両端を前記支持支柱４、４の該当する部位に配した後記取付金具４ｂ、４ｂの環状部に固設したものである。
【００５８】
前記壁型蒸散部３は、前記単位板部材３ａ、３ａ…を、図２(d)に示すように、ワイヤーフレーム４ｃの横向きのワイヤ部材４ｃ１、４ｃ１…にそのフック３ａ１、３ａ１で係止しつつ、図１(a)に示すように、配列することにより構成する。
【００５９】
前記支柱部材４、４は、図１(a)に示すように、各々金属で構成した角筒状部材であり、地上から立ち上げ、その上下の途中に配した取付金具４ｂ、４ｂにより、前記対象の建物１の隅部付近又は壁面２の途中に固設する。前記壁型蒸散部３は、従って、対象壁面２の前面に所定間隔で配置され、その両側に配した支柱部材４、４によってその状態に保持されることとなる。
【００６０】
なお上記取付金具４ｂは、図１(a)、(b)及び図２(a)、(b)、(c)に示すように、該支柱部材４、４に巻き付ける環状部と該環状部から延びる腕部と該腕部の先端に配した取付片とからなり、該取付片をビス等により建物１の壁面２に固設することで、該支柱部材４、４を該建物１に固設するものである。
【００６１】
前記貯留槽５は、図１(a)、(c)に示すように、前記壁型蒸散部３の両側の支柱部材４、４の内部に構成したものであり、上下方向に定間隔で配した多数の支分槽５ａ、５ａ…及び最下部の補給槽５ｂからなる。各支分槽５ａ、５ａ…は、支柱部材４の四辺を構成する一つの内側壁及びこれと対面する他の内側壁からそれぞれ他の内側壁側に突き出した状態に構成する。特に上下隣接する支分槽５ａ、５ａは、相互に支柱部材４の反対側の内側壁から突き出した状態に構成する。また最下部の補給槽５ｂは、図１(d)に示すように、フロートスイッチ５ｃが配してあり、これによってその水位が所定レベル以下に下がったことが検出された場合には、図示しない配管のバルブが開かれ、上記所定レベルの水位まで水道水が蒸散水として導入され得るようになっている。また該補給槽５ｂは、その水位が他の所定レベルを越えると、溢水し、図示しない排出口及び排水ホースを通じて排水溝に排出するようになっている。
【００６２】
なお前記上下隣接する支分槽５ａ、５ａ…間には、図１(c)に示すように、いずれの間にも毛管構造を持った紐状の補給ロープ５ｄが配してあり、下方の支分槽５ａの水を上方の支分槽５ａに毛管現象によって供給可能になっている。また最下部の補給槽５ｂから直上の支分槽５ａにも補給ロープ５ｄが配してあり、同様の作用を果たすことができるようになっている。
【００６３】
更に前記貯留槽５の最上部の支分槽５ａには、図１(a)に示すように、建物１の雨樋７からその採取した雨水を蒸散水として導入するための導入配管８を接続してある。
【００６４】
また前記給水ロープ６、６…は、前記壁型蒸散部３の両側の支柱部材４、４に於いて、各々その内部の貯留槽５の各支分槽５ａ、５ａ…に、その一端を沈め、各他端側を、各々その高さで、該壁型蒸散部３の裏面側中間点まで、横方向に延長し、各該当するレベルの単位板部材３ａ、３ａ…に裏面で結合する。該各給水ロープ６、６…の他端は、該当する壁型蒸散部３の中間点の単位板部材３ａ、３ａ…の裏面に直接結合し、該当する途中の部位からは、図１(e)に示すように、それぞれ分岐ロープ６ａ、６ａ…を分岐させてこれらを該当する部位の単位板部材３ａ、３ａ…に結合する。
【００６５】
前記給水ロープ６、６…及び分岐ロープ６ａ、６ａ…はその主たる部位を細長形状の不織布芯部６ｂによって構成し、図１(f)に示すように、その外周に非透水性の被覆材６ｃを施して構成したものである。前記補給ロープ５ｄ、５ｄ…も同様の構成である。また以上の給水ロープ６、６…、分岐ロープ６ａ、６ａ…及び補給ロープ５ｄ、５ｄ…は抗菌処理を施し、更に前記壁型蒸散部３は、その個々の単位板部材３ａ、３ａ…の裏面を、前記給水ロープ６を接続した部位を除いて非透水性のコーティングを施し、前面側は抗菌処理を施したものである。
【００６６】
従ってこの実施例の環境温度低減装置によれば、前記のように、対象の建物１の壁面２の前面に所定の間隔で配して使用することにより、その壁型蒸散部３の各単位板部材３ａ、３ａ…に前記貯留槽５の対応する各支分槽５ａ、５ａ…から給水ロープ６、６…を通じて蒸散水を供給し、該壁型蒸散部３の各単位板部材３ａ、３ａ…からその蒸散水を蒸散させることにより、その周囲から蒸発潜熱を奪い、効率的に該建物１付近の温度低下を図ることができる。それ故、この環境温度低減装置を対象の建物１の属する領域一帯の建物に同様に設置して使用すれば、この建物１ばかりでなく、その周辺一帯の温度低下を図り得ることとなり、夏季の都会に於けるヒートアイランド現象の低減に資することにもなる。
【００６７】
この環境温度低減装置で使用する蒸散水は、基本的には雨水であり、雨水採取手段である雨樋７で採取された雨水は導入配管８を通じて支柱部材４、４中に構成した貯留槽５に貯留され、主としてこの雨水が前記壁型蒸散部３に於ける蒸散に利用される。
【００６８】
前記貯留槽５は、前記したように、高さ方向に多段に構成した複数の支分槽５ａ、５ａ…からなり、導入配管８を通じて導入された雨水は最上部の支分槽５ａに流下することになる。最上部の支分槽５ａから溢水した雨水は、更にその直下の支分槽５ａに流下する。以下順次これが繰り返され、最下部の補給槽５ｂまで流下し、各支分槽５ａ、５ａ…及び最下部の補給槽５ｂは、ある程度の降水があれば、いずれも満水状態となる。最下部の補給槽５ｂの水位が前記他の所定レベルを越えると、越えた分だけ排水ホース等を通じて排水される。
【００６９】
また降水がない等により蒸散水が不足すると、貯留槽５では、前記最下部の補給槽５ｂからその直上の支分槽５ａに補給ロープ５ｄを通じて蒸散水が供給され、その上方でも、順次上下隣接する支分槽５ａ、５ａ間に配した補給ロープ５ｄを通じて最上部の支分槽５ａまで蒸散水が補給されることになる。補給ロープ５ｄ、５ｄ…による蒸散水の供給は、既述のように、毛管現象によるものであり、一切の動力を用いない。また前記最下部の補給槽５ｂの水位が所定レベルより下がり、その水位が前記フロートスイッチ５ｃにより検出されると、前記のように、図示しない配管のバルブが開かれ、上記所定レベルの水位まで水道水が導入されることになる。
【００７０】
こうして前記貯留槽５の各支分槽５ａ、５ａ…には常時雨水又は水道水、或いはその混合水が蒸散水として貯留されており、これらの蒸散水は、該支分槽５ａ、５ａ…にその一端を沈めた給水ロープ６、６…を通じて前記壁型蒸散部３の各単位板部材３ａ、３ａ…供給され、その前面側から蒸散されることになる。
【００７１】
このとき、該給水ロープ６、６…は、不織布を主たる構成要素とした毛管構造であるため、一切の動力を用いることなく、貯留槽５の支分槽５ａ、５ａ…から前記壁型蒸散部３の単位板部材３ａ、３ａ…まで毛管現象によって蒸散水を送給することができる。
【００７２】
また前記壁型蒸散部３の単位板部材３ａ、３ａ…は、既述のように、連続気孔の多孔質セラミックス板材で構成したものであり、該給水ロープ５ａ、５ａ…により受け入れた蒸散水をその蒸散面に均一に移動させ、かつ蒸散面全体から効率よく蒸散させ得る。それ故、その建物１を含む周辺の温度を効率的に低下させることができることになる。
【００７３】
この実施例では、既述のように、主として、前記雨樋７で集めた雨水を貯留槽５に貯留して利用することとし、これが不足した場合のみ水道水を利用することとたため、経済的であると共に、雨水が不足する時期でも問題なく、環境温度の低減に利用することができる。
【００７４】
なおこの実施例では、前記給水ロープ６、６…、分岐ロープ６ａ、６ａ…、補給ロープ５ｄ、５ｄ…及び前記壁型蒸散部３の単位板部材３ａ、３ａ…に抗菌処理を施したため、長期間の使用によってもそれらの目詰まりが生じない。そのため目詰まりに起因する給水作用や蒸散作用の低下が容易に生じない。
【実施例２】
【００７５】
この実施例２は、図３に示すように、本発明を、バス停等の屋外待合所型シェルターに適用した一例であり、基本的に、シェルター構造体１１と、その梁１２ａ、１２ａ及び軒桁１２ｂの内側の棚座１２ｃ上に配した植物型蒸散部１３、１３…と、該シェルター構造体１１の支柱部材１４、１４…中に構成した雨水の汲み上げ部１５と、該汲み上げ部１５の最上部から蒸散水を前記植物型蒸散部１３、１３…に供給する給水ロープ（給水手段）１６、１６…と、雨水を採取する雨樋（雨水採取手段）１７と、該雨樋１７で採取した雨水を蒸散水として地下の貯留槽１９に送り込む送水管１８とで構成したものである。
【００７６】
前記シェルター構造体１１は、図３(a)に示すように、屋根部１１ａと、これを支持する四隅の支柱部材１４、１４…と、該屋根部１１ａ直下の梁１２ａ、１２ａ及び軒桁１２ｂと、その内側の棚座１２ｃとで構成したものであり、該屋根部１１ａは、概ね前部から後部に向かって下向き傾斜で、その後端直下にこれを流下する雨水を受け取れるように前記雨樋１７を配置したものである。上記棚座１２ｃは、図３(c)に示すように、平面から見て四辺形の辺に沿った形状の板状部材であり、前記支柱部材１４、１４…に前記梁１２ａ、１２ａ及び軒桁１２ｂの下面と同一高さに配されている。
【００７７】
前記植物型蒸散部１３、１３…は、図３(a)、(b)に示すように、鉢植え型の植物様に構成した疑似植物型の蒸散部である。鉢は実際には構成されていないが、前記のように、これらは前記シェルター構造体１１の梁１２ａ、１２ａ及び軒桁１２ｂの内側の棚座１２ｃ上に配するものであり、下方から見上げて、鉢植えの植物に見えるように構成したものである。上部の緑色葉部１３ａは、緑色に着色した不織布をそのように成形して構成し、これを立ち上げる幹部１３ｂは、棒状の不織布に補強用のプラスチックパイプを被覆して構成したものである。この幹部１３ｂは、その上端を該緑色葉部１３ａの下端に結合し、下端を、同様に、棒状の不織布に補強用のプラスチックパイプを被覆して構成した横向きの基部構成材１３ｃに連結したものである。
【００７８】
なお上記基部構成材１３ｃは、前記棚座１２ｃ上にそれぞれ固設し、前記幹部１３ｂ及びその上部の緑色葉部１３ａが起立状態を維持できるようにしたものである。
【００７９】
前記汲み上げ部１５は、前記のように、各々前記シェルター構造体１１の支柱部材１４、１４…中に構成する。該支柱部材１４、１４…は地中に構成した貯留槽１９から立ち上げた金属製の角筒状部材であり、該汲み上げ部１５は、図３(d)に示すように、この中に上下方向に定間隔で配した多数の支分汲み上げ槽１５ａ、１５ａ…と紐状の補給ロープ１５ｂ、１５ｂ…とで構成したものである。
【００８０】
各支分汲み上げ槽１５ａ、１５ａ…は、図３(d)に示すように、支柱部材１４の四辺を構成する一つの内側壁及びこれと対面する他の内側壁からそれぞれ他の対面する内側壁側に突き出した状態に構成する。特に上下隣接する支分汲み上げ槽１５ａ、１５ａは、相互に支柱部材１４の反対側の内側壁から突き出した状態に構成する。
【００８１】
前記補給ロープ１５ｂ、１５ｂ…は、毛管構造を持った紐状の部材であり、図３(d)に示すように、上記各上下の支分汲み上げ槽１５ａ、１５ａ間に配し、それぞれその上端を上方の支分汲み上げ槽１５ａに、下端を下方の支分汲み上げ槽１５ａに沈めたものである。下方の支分汲み上げ槽１５ａの水を上方の支分汲み上げ槽１５ａに毛管現象によって供給しようとする趣旨である。最下部の支分汲み上げ槽１５ａと地下の貯留槽１９との間にも上下隣接する支分汲み上げ槽１５ａ、１５ａ間と同様の態様で補給ロープ１５ｂを配したものである。
【００８２】
前記給水ロープ１６、１６…は、図３(e)に示すように、紐状の不織布芯部１６ａとこれを被覆する非透水性の被覆材１６ｂとで構成したものであり、各支柱部材１４中に於いて、下端を前記汲み上げ部１５の最上端の支分汲み上げ槽１５ａに沈めた上で、上方に延長し、その上端を前記植物型蒸散部１３、１３…の基部構成材１３ｃに結合したものである。該支分汲み上げ槽１５ａ中の蒸散水を該植物型蒸散部１３、１３…に毛管現象によって供給しようとする趣旨である。
【００８３】
なお以上の給水ロープ１６、１６…、補給ロープ１５ｂ、１５ｂ…及び植物型蒸散部１３、１３…はいずれも抗菌処理を施したものである。
【００８４】
前記送水管１８は、前記雨樋１７と地中の貯留槽１９との間を連通するパイプ体であり、該雨樋１７が受け取った雨水を該貯留槽１９に供給するためのものである。
【００８５】
従ってこの実施例の環境温度低減装置によれば、これをバス停として設置した場合は、前記のように、その屋根部１１ａの直下の梁１２ａ、１２ａ及び軒桁１２ｂの内側の棚座１２ｃに配した植物型蒸散部１３、１３…の緑色葉部１３ａに、前記地下の貯留槽１９の蒸散水を、前記汲み上げ部１５の多段の支分汲み上げ槽１５ａ、１５ａ…、補給ロープ１５ｂ、１５ｂ…及び給水ロープ１６、１６…を通じて供給し、該植物型蒸散部１３、１３…の各緑色葉部１３ａ、１３ａ…からその蒸散水を蒸散させることにより、その周囲環境から蒸発潜熱を奪い、効率的に該シェルター構造体１１の下方及び周辺の温度低下を図ることができる。それ故、この環境温度低減装置を、例えば、実施例１のそれと併用すれば、これを設置した領域一帯の温度低下を図り得ることとなり、夏季の都会に於けるヒートアイランド現象の低減に資することにもなる。
【００８６】
この環境温度低減装置で使用する蒸散水は雨水であり、屋根部１１ａから流れ落ち、雨水採取手段である雨樋１７で受け取られた雨水は送水管１８を通じて地下に構成された貯留槽１９に貯留され、この雨水が前記植物型蒸散部１３に送給されて蒸散に利用される。
【００８７】
該貯留槽１９の蒸散水は、前記のように、前記汲み上げ部１５を通じて汲み上げられる。まず該貯留槽１９からその直上に位置する汲み上げ部１５の最下部の支分汲み上げ槽１５ａに補給ロープ１５ｂにより蒸散水が汲み上げられ、その上方でも、順次、上下隣接する支分汲み上げ槽１５ａ、１５ａ間に配した補給ロープ１５ｂを通じて下方の支分汲み上げ槽１５ａから上方のそれに汲み上げられ、最後には最上部の支分汲み上げ槽１５ａにまで汲み上げられる。
【００８８】
該補給ロープ１５ｂ、１５ｂ…による蒸散水の汲み上げは、既述のように、毛管現象によるものであり、一切の動力を用いていない。
【００８９】
こうして前記汲み上げ部１５、１５…の最上段の支分汲み上げ槽１５ａに汲み上げられた蒸散水は、次いで、給水ロープ１６、１６…を通じて前記植物型蒸散部１３の基部構成材１３ｃに供給され、ここから更に幹部１３ｂ、１３ｂ…を通じて各該当する緑色葉部１３ａ、１３ａ…に供給され、該緑色葉部１３ａ、１３ａ…の表面から蒸散されることになる。
【００９０】
このとき、該給水ロープ１６、１６…は、不織布を主たる構成要素とした毛管構造であるため、一切の動力を用いることなく、前記汲み上げ部１５の最上部の支分汲み上げ槽１５ａから毛管現象によって水を送給することができる。前記基部構成材１３ｃ及び幹部１３ｂ、１３ｂ…もまた不織布で構成されたものであり、毛管構造であるため、同様に毛管現象により蒸散水の送給を行うものである。
【００９１】
また前記植物型蒸散部１３、１３…の緑色葉部１３ａ、１３ａ…は、既述のように、緑色の不織布をそのように成形したものであり、該給水ロープ１６、１６…、基部構成材１３ｃ及び幹部１３ｂ、１３ｂ…を通じて受け入れた蒸散水をその蒸散面である表面に均一に移動させ、かつ表面全体から効率よく蒸散させることができる。それ故、バス停を構成するシェルター構造体１１の下方及び周囲の温度を効率的に低下させることができる。
【００９２】
なおこの実施例では、前記給水ロープ１６、１６…、補給ロープ１５ｂ及び植物型蒸散部１３に、既述のように、抗菌処理を施したため、長期間の使用によってもそれらの目詰まりが生じない。そのため目詰まりに起因する給水作用や蒸散作用の低下が容易には生じない。
【図面の簡単な説明】
【００９３】
【図１】(a)は蒸散部を壁型に構成した実施例１の環境温度低減装置の概略斜視図、(b)は実施例１の支柱部材の建物壁面への取付状態を示す側面説明図、(c)は実施例１の貯留槽の側面断面説明図、(d)は実施例１の補給槽の側面断面説明図、(e)は実施例１の壁型蒸散部を構成する単位板部材と給水ロープとの接続状態を示すと説明図、(f)は実施例１の給水ロープの一部切欠断面説明図。
【図２】(a)は蒸散部の単位板部材を取り外し、給水ロープを切り欠いた状態の実施例１の環境温度低減装置の概略斜視図、(b)は建物壁面に取り付けた実施例１の支柱部材に支持フレーム及びワイヤーフレームを配した状態を示す側面断面説明図、(c)は建物壁面に取り付けた実施例１の支柱部材に支持フレーム及びワイヤーフレームを配した状態を示す一部切欠正面図、(d)は実施例１の壁型蒸散部を構成する単位板部材とワイヤーフレームとの接続状態を示す説明図。
【図３】(a)は植物型蒸散部をシェルター構造体の梁及び軒桁の内側の台座に配した実施例２の環境温度低減装置の概略斜視図、(b)は実施例２の植物型蒸散部の説明図、(c)は実施例２のシェルター構造体の梁及び軒桁の内側に構成した植物型蒸散部を載置する台座の平面説明図、(d)は実施例２の汲み上げ部の側面断面説明図、(e)は実施例２の給水ロープの一部切欠断面説明図。
【符号の説明】
【００９４】
１    建物
２    壁面
３    壁型蒸散部
３ａ  単位板部材
３ａ１  フック
３ｂ  開口部
４    支柱部材
４ａ  支持フレーム
４ｂ  取付金具
４ｃ  ワイヤーフレーム
４ｃ１  横向きのワイヤ部材
４ｃ２  縦向きのワイヤ部材
５    貯留槽
５ａ  支分槽
５ｂ  補給槽
５ｃ  フロートスイッチ
５ｄ  補給ロープ
６    給水ロープ（給水手段）
６ａ  分岐ロープ
６ｂ  不織布芯部
６ｃ  被覆材
７    雨樋（雨水採取手段）
８    導入配管
１１  シェルター構造体
１１ａ  屋根部
１２ａ  梁
１２ｂ  軒桁
１２ｃ  棚座
１３  植物型蒸散部
１３ａ  緑色葉部
１３ｂ  幹部
１３ｃ  基部構成材
１４  支柱部材
１５  汲み上げ部
１５ａ  支分汲み上げ槽
１５ｂ  補給ロープ
１６  給水ロープ（給水手段）
１６ａ  不織布芯部
１６ｂ  被覆材
１７  雨樋（雨水採取手段）
１８  送水管
１９  貯留槽
【図１】
2006241812.tif 000003
【図２】
2006241812.tif 000004
【図３】
2006241812.tif 000005